(57)【要約】【課題】  冷房運転時に風上側の第１熱交換器の熱交換フィンに付着した露が、風下側の第２熱交換器の熱交換フィン下端部からドレンパン上に確実に落下できる空気調和装置を提供すること。【解決手段】  冷房運転時には、冷媒熱交換器８の熱交換フィン１７に生成して付着した露が、クロスフローファン１０、１１の運転により大きくなりながら下方に下がりつつ後方へ移動して温水熱交換器９の熱交換フィン２７に伝わっても、熱交換フィン２７下端部は切欠部２７Ａを形成して前方が低くなるように傾斜させて形成しているため、この下端部の前端から熱交換フィン１７の後端部を伝わって、ドレンパン２９上に落下させることができる。【選択図】  図２
2007057180.tif 000002
【特許請求の範囲】
【請求項１】
風上側に第１熱交換器と風下側に第２熱交換器とを前後に重ねて配置すると共に前記第１熱交換器の熱交換フィンより第２熱交換器の熱交換フィンの方が上下方向における長さを短くし、この第２熱交換器の下流側である後方に送風機を上下に配置した空気調和装置であって、前記第２熱交換器の熱交換フィンの下端部を前方が低くなるように傾斜させたことを特徴とする空気調和装置。
【請求項２】
冷媒が流れる冷媒熱交換器と温水が流れる温水熱交換器とを前後に重ねて配置すると共に前記冷媒熱交換器の熱交換フィンより温水熱交換器の熱交換フィンの方が上下方向における長さを短くし、この温水熱交換器の下流側である後方に送風機を上下に配置した空気調和装置であって、前記温水熱交換器の熱交換フィンの下端部を前方が低くなるように傾斜させたことを特徴とする空気調和装置。
【請求項３】
冷媒が流れる主冷媒熱交換器と同じく冷媒が流れる補助冷媒熱交換器とを前後に重ねて配置すると共に前記主冷媒熱交換器の熱交換フィンより補助冷媒熱交換器の熱交換フィンの方が上下方向における長さを短くし、この補助冷媒熱交換器の下流側である後方に送風機を上下に配置した空気調和装置であって、前記補助熱交換器の熱交換フィンの下端部を前方が低くなるように傾斜させたことを特徴とする空気調和装置。
【発明の詳細な説明】
【技術分野】
【０００１】
本発明は、風上側に第１熱交換器と風下側に第２熱交換器とを前後に重ねて配置し、この第２熱交換器の下流側である後方に送風機を上下に配置した空気調和装置に関する。詳述すると、冷媒が流れる冷媒熱交換器と温水が流れる温水熱交換器とを前後に重ねて配置し、この温水熱交換器の下流側である後方に送風機を上下に配置した空気調和装置や、冷媒が流れる主冷媒熱交換器と同じく冷媒が流れる補助冷媒熱交換器とを前後に重ねて配置し、この補助冷媒熱交換器の下流側である後方に送風機を上下に配置した空気調和装置に関する。
【背景技術】
【０００２】
前後に重なる冷媒熱交換器と温水熱交換器とが略同じ大きさに構成された空気調和装置は、例えば特許文献１などに開示されている。そして、冷媒熱交換器には冷媒配管が左右方向に蛇行しながら上下に順次配管され、また温水熱交換器には温水配管が左右方向に蛇行しながら上下に順次配管されている。
【特許文献１】特開平９−１７８３０５号公報
【発明の開示】
【発明が解決しようとする課題】
【０００３】
そして、主として夏季は冷媒熱交換器を使用して冷房運転をし、冬季は両熱交換器を使用して暖房運転を行うが、ドライ運転時には夏季とはいえ、乾燥させるために温水熱交換器をも使用する。この場合、温水熱交換器の熱交換フィンが大きいと、暖気が室内に送出されることとなるので、冷媒熱交換器の熱交換フィンより温水熱交換器の熱交換フィンの方が上下においてそれぞれ短く構成する。
【０００４】
しかし、前記冷媒熱交換器の熱交換フィンの下端部を水平となるように形成すると、冷房運転時の冷媒熱交換器の熱交換フィンに付着した露が、後方へ移動して温水熱交換器の熱交換フィンに伝わり、更に徐々に垂下がってこの温水熱交換器の熱交換フィン下端部からドレンパンの外側に落下するという問題があった。
【０００５】
また、冷媒が流れる主冷媒熱交換器と同じく冷媒が流れる補助冷媒熱交換器とを前後に重ねて配置すると共に前記主冷媒熱交換器の熱交換フィンより補助冷媒熱交換器の熱交換フィンの方が上下においてそれぞれ短くし、この補助冷媒熱交換器の下流側である後方に送風機を上下に配置した空気調和装置においても、前述と同様な問題があった。
【０００６】
そこで本発明は、冷房運転時に風上側の第１熱交換器の熱交換フィンに付着した露が、風下側の第２熱交換器の熱交換フィン下端部からドレンパン上に確実に落下できる空気調和装置を提供することを目的とする。
【課題を解決するための手段】
【０００７】
このため第１の発明は、風上側に第１熱交換器と風下側に第２熱交換器とを前後に重ねて配置すると共に前記第１熱交換器の熱交換フィンより第２熱交換器の熱交換フィンの方が上下方向における長さを短くし、この第２熱交換器の下流側である後方に送風機を上下に配置した空気調和装置であって、前記第２熱交換器の熱交換フィンの下端部を前方が低くなるように傾斜させたことを特徴とする。
【０００８】
第２の発明は、冷媒が流れる冷媒熱交換器と温水が流れる温水熱交換器とを前後に重ねて配置すると共に前記冷媒熱交換器の熱交換フィンより温水熱交換器の熱交換フィンの方が上下方向における長さを短くし、この温水熱交換器の下流側である後方に送風機を上下に配置した空気調和装置であって、前記温水熱交換器の熱交換フィンの下端部を前方が低くなるように傾斜させたことを特徴とする。
【０００９】
第３の発明は、冷媒が流れる主冷媒熱交換器と同じく冷媒が流れる補助冷媒熱交換器とを前後に重ねて配置すると共に前記主冷媒熱交換器の熱交換フィンより補助冷媒熱交換器の熱交換フィンの方が上下方向における長さを短くし、この補助冷媒熱交換器の下流側である後方に送風機を上下に配置した空気調和装置であって、前記補助熱交換器の熱交換フィンの下端部を前方が低くなるように傾斜させたことを特徴とする。
【発明の効果】
【００１０】
本発明は、冷房運転時に風上側の第１熱交換器の熱交換フィンに付着した露が、風下側の第２熱交換器の熱交換フィン下端部からドレンパン上に確実に落下できる空気調和装置を提供することができる。
【発明を実施するための最良の形態】
【００１１】
以下、本発明の実施の形態を図面に基づき説明する。図１において、１は分離型空気調和装置の室内機で、前面パネル５の中央部には吸込口２が開設され、この吸込口２の上方及び下方にそれぞれ吹出口３、４が開設されている。
【００１２】
この室内機１の内部には、図２に示すように、フィルタ６、７の後方に、風上側に冷媒熱交換器８および風下側に温水熱交換器９が前後に重なった状態で配設されている。そして、前記温水熱交換器９の後方には上下に通風路内に上下に出力可変の直流モータにより回転する送風機であるクロスフローファン１０、１１が配設されている。
【００１３】
図３に示す前記冷媒熱交換器８は、左右の側板１５、１６（図４及び図５参照）と、この側板１５、１６間に左右方向に複数枚配列されたアルミニウム製の熱交換フィン１７（図６参照）と、前記側板１５、１６及び熱交換フィン１７を貫通している冷媒配管１８とを具備している。そして、前記冷媒配管１８は左右の側板１５、１６間を左右方向に水平に延在すると共に、側板１５、１６の外側でＵ字状に折曲して、再び左右の側板１５、１６間を左右方向に水平に延在して蛇行するように配設されている。従って、この冷媒配管１８は、側板１５、１６および熱交換フィン１７の上部から下部まで、略全域に亘って蛇行しながら配管されている。
【００１４】
そして、この冷媒熱交換器８は、室外に配設される図示しないコンプレッサーや室外側熱交換器などと共に冷凍サイクルを構成し、この冷凍サイクルが運転すると、フロンや炭酸ガス（ＣＯ２）などの常温常圧ではガス状の冷媒が循環する。
【００１５】
前記温水熱交換器９は、左右の側板２５、２６（図４及び図５参照）と、この側板２５、２６間に前記冷媒熱交換器８の上下のセンターと同じく上下のセンターとを一致させると共に上下において前記熱交換フィン１７よりそれぞれ略等長に短い左右方向に複数枚配列されたアルミニウム製の熱交換フィン２７と、前記側板２５、２６及び熱交換フィン２７を貫通している温水配管２８とを具備している。前記温水配管２８は暖房時に、ボイラー（図示せず）などの温水源からの温水が流れるもので、前記温水配管２８は左右の側板２５、２６間を左右方向に水平に延在すると共に、側板２５、２６の外側でＵ字状に折曲して、再び左右の側板２５、２６間を左右方向に水平に延在して蛇行するように配設されている。従って、この温水配管２８は、熱交換フィン２７の上部から下部まで、略全域に亘って蛇行しながら配管されている。なお、前記冷媒熱交換器８の側板１５、１６と温水熱交換器９の側板２５、２６とは上下方向における長さは、略同じである。
【００１６】
従って、前記冷媒熱交換器８の熱交換フィン１７の下端位置より前記温水熱交換器９の前記熱交換フィン２７の下端位置の方が上方に位置することとなる。
【００１７】
また、前記温水熱交換器９の熱交換フィン２７の上端部は水平に形成されているが、下端部は前方が低くなるように傾斜させて形成する（図６参照）。そして、前記冷媒熱交換器８及び温水熱交換器９の下方には、前記冷媒熱交換器８で生成されたドレンを受けるドレンパン２９が配設される。
【００１８】
従って、冷房運転時に冷媒熱交換器８の熱交換フィン１７に生成して付着した露が、クロスフローファン１０、１１の運転により大きくなりながら下方に下がりつつ後方へ移動して温水熱交換器９の熱交換フィン２７に伝わっても、熱交換フィン２７下端部は切欠部２７Ａを形成して前方が低くなるように傾斜させて形成しているため、この下端部の前端から冷媒熱交換器８の熱交換フィン１７の後端部を伝わって、ドレンパン２９の外側に落下することなく、ドレンパン２９上に確実に落下させることができる。
【００１９】
以上のように、空気調和機を運転すると、直流モータの運転によりクロスフローファン１０、１１が回転し、室内の空気が吸込口２から流入してフィルタ６、７、冷媒熱交換器８及び温水熱交換器９を経て、上方及び下方に分岐して吹出口３、４を介して熱交換された空気が室内に吹出される。
【００２０】
このため、冷房運転時には、冷凍サイクルにより冷媒熱交換器８の冷媒配管１８に加圧された冷媒が流れ、冷却作用を発揮して、クロスフローファン１０、１１が回転して冷媒熱交換器８を経て、吹出口３、４を介して熱交換された冷たい空気が室内に放出される。また、暖房運転時には、温水熱交換器９の温水配管２８に前記ボイラーから温水が流れ、加熱作用を発揮して、クロスフローファン１０、１１が回転して温水熱交換器９を経て、吹出口３、４を介して熱交換された暖かい空気が室内に放出される。更に、ドライ運転時には、冷媒が冷媒熱交換器８の冷媒配管１８内を流れると共に、温水が温水熱交換器９の温水配管２８内を流れる。
【００２１】
そして、前述した冷房運転時には、冷媒熱交換器８の熱交換フィン１７に生成して付着した露が、クロスフローファン１０、１１の運転により大きくなりながら下方に下がりつつ後方へ移動して温水熱交換器９の熱交換フィン２７に伝わっても、熱交換フィン２７下端部は切欠部２７Ａを形成して前方が低くなるように傾斜させて形成しているため、この下端部の前端から熱交換フィン１７の後端部を伝わって、ドレンパン２９上に落下させることができる。
【００２２】
なお、冷媒が流れる主冷媒熱交換器と同じく冷媒が流れる補助冷媒熱交換器とを前後に重ねて配置し、この補助冷媒熱交換器の下流側である後方に送風機を上下に配置した空気調和装置、詳述すると、冷媒が流れる主冷媒熱交換器と同じく冷媒が流れる補助冷媒熱交換器とを前後に重ねて配置すると共に前記主冷媒熱交換器の熱交換フィンより補助冷媒熱交換器の熱交換フィンの方が各センターを一致させて上下においてそれぞれ略等長に短くし（上下方向における長さを略等長に短くし）、この補助冷媒熱交換器の下流側である後方に送風機を上下に配置した空気調和装置にあっても、前記補助熱交換器の熱交換フィンの下端部は切欠部を形成して前方が低くなるように傾斜させることにより、前記主冷媒熱交換器の熱交換フィンに付着した露や前記補助熱交換器の熱交換フィンに付着した露が熱交換フィン２７下端部の前端から熱交換フィン１７の後端部を伝わって、ドレンパン２９上に落下させることができる。
【００２３】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００２４】
【図１】空気調和機の正面図である。
【図２】空気調和機の縦断側面図である。
【図３】冷媒熱交換器及び温水熱交換器の正面図である。
【図４】冷媒熱交換器及び温水熱交換器の左側面図である。
【図５】冷媒熱交換器及び温水熱交換器の右側面図である。
【図６】図３のＡ−Ａ方向から見た熱交換フィンの側面図である。
【符号の説明】
【００２５】
１              室内機
２              吸込口
３、４          吹出口
８              冷媒熱交換器
９              温水熱交換器
１０、１１      クロスフローファン
１７            熱交換フィン
２７            熱交換フィン
２７Ａ          切欠部
【図１】
2007057180.tif 000003
【図２】
2007057180.tif 000004
【図３】
2007057180.tif 000005
【図４】
2007057180.tif 000006
【図５】
2007057180.tif 000007
【図６】
2007057180.tif 000008